(57)【要約】【課題】ユーザが操作する操作キーを少なくして、操作ミスを減少させるＡＶ機器を提供する。【解決手段】受光素子４と、マイコン１と、メモリ２と、画面３と、を備えたＴＶ１０を備える。制御信号８が受光素子４により受信され、マイコン１へ入力される。マイコン１は予め初期設定としてメモリ２に記憶されている初期設定のデータを読み込み、この初期設定にしたがってＴＶ１０の操作を実行する。初期設定にて許可されている操作は何等問題なく実行することができ、初期設定において不許可にされている操作を実行させず、操作ボタン６の操作の制限を実現する。【選択図】図１
2008219545.tif 000002
【特許請求の範囲】
【請求項１】
リモコン送信機から送信される制御信号により操作されるＡＶ機器において、
受信した前記制御信号による複数種類の前記操作のそれぞれの実行について個々に許可／不許可を設定した設定情報を記憶するためのメモリと、
前記メモリから読み込んだ前記設定情報に従い許可された前記操作のみを実行するための操作実行手段と、
を備えることを特徴とするＡＶ機器。
【請求項２】
前記設定情報における前記操作のそれぞれについて、個々の前記実行の許可／不許可の設定をそれぞれ変更して編集するための編集手段を備えることを特徴とする請求項１に記載のＡＶ機器。
【請求項３】
リモコン送信機から送信される制御信号により操作されるＡＶ機器のためのＡＶ機器制御プログラムであって、
前記ＡＶ機器を、
受信した前記制御信号による複数種類の前記操作のそれぞれの実行について個々に許可／不許可を設定した設定情報を記憶する記憶手段と、
前記記憶手段から読み込んだ前記設定情報に従い許可された前記操作のみを実行するための操作実行手段と、
して機能させることを特徴とするＡＶ機器制御プログラム。
【請求項４】
前記ＡＶ機器を、さらに、
前記設定情報における前記操作のそれぞれについて、個々の前記実行の許可／不許可の設定をそれぞれ変更して編集するための編集手段として機能させることを特徴とする請求項３に記載のＡＶ機器制御プログラム。
【発明の詳細な説明】
【技術分野】
【０００１】
本発明は、ＡＶ（Ａｕｄｉｏ  Ｖｉｓｕａｌ）機器に関する。
【背景技術】
【０００２】
従来において、例えば１台のリモコンで機器を遠隔から制御するために、このリモコンに複数備わる操作キーを機能毎にグループ分けし、このグループのうちのどのグループの機能を操作可能にするかを決定する状態切替キーを備えた構成が知られている。この構成において、状態切替キーを押すことで操作可能なグループを選択すると、この選択以外のグループは機能しないので、例えば誤って選択以外のグループの操作キーを押しても誤操作とならない（例えば、特許文献１）。
【０００３】
【特許文献１】特開２００５−３４８２１３号公報
【発明の開示】
【発明が解決しようとする課題】
【０００４】
しかしながら、上述した従来技術の場合、リモコンに操作の種類に応じた数の操作キーを多数設ける必要があり、選択されたグループ以外の不要な操作キーもユーザの選択に備えて配置しておかなければならない、という問題が生じる。
【０００５】
本発明は上記の問題を解決するためになされたものであり、その課題の一例としてはユーザが操作する操作キーを少なくして、操作ミスを減少させるＡＶ機器及びＡＶ機器制御プログラムを提供することにある。
【課題を解決するための手段】
【０００６】
上記の課題を達成するため、請求項１記載のＡＶ機器は、リモコン送信機から送信される制御信号により操作されるＡＶ機器において、受信した前記制御信号による複数種類の前記操作のそれぞれの実行について個々に許可／不許可を設定した設定情報を記憶するためのメモリと、前記メモリから読み込んだ前記設定情報に従い許可された前記操作のみを実行するための操作実行手段と、を備えることを特徴とする。
【０００７】
請求項３記載の本発明は、リモコン送信機から送信される制御信号により操作されるＡＶ機器のためのＡＶ機器制御プログラムであって、前記ＡＶ機器を、受信した前記制御信号による複数種類の前記操作のそれぞれの実行について個々に許可／不許可を設定した設定情報を記憶する記憶手段と、前記記憶手段から読み込んだ前記設定情報に従い許可された前記操作のみを実行するための操作実行手段と、して機能させることを特徴とする。
【発明を実施するための最良の形態】
【０００８】
図１は、本発明の実施の形態のＡＶ（Ａｕｄｉｏ  Ｖｉｓｕａｌ）機器を説明するための説明図を示している。図１においては、ＡＶ機器の一例としてＴＶ１０を挙げて説明するが、これに限定されず、他のＡＶ機器、例えば、ＤＶＤレコーダやＡＶアンプ等であってもよい。
【０００９】
この図１には、受光素子４と、マイコン１と、メモリ２と、画面３と、を備えたＴＶ１０の構成が示されている。
【００１０】
また、ＴＶ１０へ制御信号を送信し、ＴＶ１０の機能を遠隔から操作するためには既存のリモコン９を用いる。このリモコン９の構成としては、例えば、操作ボタン６と、マイコン５と、発光ダイオード７と、から構成されるのが典型的な一例であり、ＴＶ１０には含まれないものの、本実施の形態を説明するために図示している。
【００１１】
このような構成において、一般にＴＶ１０等を操作するためのリモコン９は、図示しないユーザにより操作ボタン６が押されることにより操作されている。この操作ボタン６はマイコン５に接続されており、複数個の操作ボタン６のうち、どのボタンが押されたかをこのマイコン５が把握する。マイコン５は押された操作ボタン６に予め割り当てられていた操作をＴＶ１０に実行させるための制御信号を生成する。生成された制御信号は発光ダイオード７に印加され、例えば赤外線による光信号に変換された制御信号８となり送信される。
【００１２】
次に、制御信号８はＴＶ１０に備わる受光素子４により受信される。受光された制御信号８はこの受光素子４により電気的な制御信号に変換され、マイコン１へ入力される。マイコン１は入力された制御信号の内容に応じてＴＶ１０の操作を実行するための操作実行手段として動作する。なお、マイコン１は予め初期設定（設定情報）としてメモリ２に記憶されている初期設定のデータを読み込み、この初期設定にしたがってＴＶ１０の前記操作を実行する。そのため、初期設定にて許可されている操作は何等問題なく実行することができるが、初期設定において不許可にされている操作は実行できず受け付けない。これにより間接的に操作ボタン６の操作の制限を実現している。
【００１３】
次に、図２に、本発明の実施の形態によるＡＶ機器の動作を説明するためのフロー図を示す。この図２において、まずＴＶ１０の電源がＯＮとなる（ステップＳ１）。次に、マイコン１がリセットされて、マイコン１の内部に残ったキャッシュデータ等の不要なデータ類が消去され初期状態になる（ステップＳ２）。
【００１４】
次に、マイコン１がメモリ２へアクセスして初期設定を読み込む（ステップＳ３）。メモリ２には、予め初期設定の情報として操作ボタン６が押されて送信されてくる制御信号に応じて、それぞれどのような操作をＴＶ１０に対して実行するかの設定が記憶されている。操作ボタン６は複数個が配置されており、それぞれの操作ボタン６にはそれぞれ異なった操作が割り当てられている。例えば、ある操作ボタン６を押すと、その操作ボタン６に予め割り当てられた操作を実行するための制御信号８が送信され、受光素子４にて受光してマイコン１へ送られる。マイコン１は、この制御信号８に含まれる操作の種類に合致する操作をＴＶ１０に対して実行する。
【００１５】
なお、これらの操作ボタン６のどれを押しても必ずしもＴＶ１０が操作されなければならないということはなく、用途に応じて適宜に操作の許可／不許可が設定されている。操作が不許可とされている場合は、その操作に該当する操作ボタン６が押されても、ＴＶ１０に対して操作は実行されない。
【００１６】
次に、ステップＳ３にてメモリ２から読み込まれた初期設定が、マイコン１に遠隔操作の動作モードとしてモード設定され、制御信号８の受光を待機する（ステップＳ４）。この待機中に、例えば制御信号８を受光すると、マイコン１は制御信号８に含まれる操作が許可されたものか否かを判断し、許可されている操作の場合はそのＴＶ１０等の機器を制御する（ステップＳ５）。
【００１７】
次に、動作モード切り替えの命令が含まれている制御信号８を受信した場合は（ステップＳ６）、マイコン１はメモリ２へ再びアクセスして、初期設定とは異なる別の設定を読み込む（ステップＳ７）。読み込まれた別の設定は再びステップＳ４にて動作モードとして設定される。
【００１８】
なお、メモリ２に記憶されている設定は、初期設定のほかに例えばユーザが任意に決定した設定情報も記憶されている。こうした任意の設定は、例えばユーザ個々人の使いやすさやを向上する内容であったり、あるいは不要な操作を不許可とすることで誤操作を防止したり、また店頭や公共施設などへ機器が設置された場合に禁止が必要な操作を不許可とするために行われる。なお、操作ボタン６に「操作モード切替」の操作を予め割り当てておくか、あるいは「お父さん」「お母さん」「子供」などというように操作する個々人毎の操作ボタン６の設定を行っておくことが好ましい。あるいは既存のリモコンの複数の操作ボタンを所定の組み合わせ順序で押すことで、操作モードが切り替わるようにしてもよい。
【００１９】
図３には、メモリ２に設定情報を記憶させるための操作における画面３の表示の一例を示している。この図３（ａ）において、ＴＶ１０の画面３には種々の設定を行うためのメニュー画面が表示されている。このメニュー画面において初期設定２０を選択する。なお、ここでの初期設定２０はメモリ２に予め設定されている初期設定とは異なり、例えばＴＶ１０等の機器の機能に関する全般の初期設定を指している。
【００２０】
次に、図３（ｂ）において、初期設定メニューの画面表示の中からリモコン２１のタブを選択する。この選択は操作ボタン６のいずれかに「選択」の機能を予め割り付けておき、押すことにより選択されることが好ましい。リモコン２１を選択すると画面３には、例えば「使用しないボタンを選択して、製品が受け付けないようにします。」等の機能説明が表示される。
【００２１】
次に、図３（ｃ）において、リモコン設定メニューが表示される。この画面では模式的にリモコン２３が絵表示されており、ユーザが直感的に理解しやすく表示されている。リモコン２３の表示上には操作ボタン６が絵表示されており、これらの操作ボタン６のうち設定対象となっている操作ボタン６にはカーソル２２が重ねて表示されている。このカーソル２２を任意の操作ボタン６に重ねて決定２４を選択することにより、操作不許可が決定される。また既に操作不許可となっている操作ボタン６の場合は決定２４を選択することにより操作許可が決定される。
【００２２】
画面表示上はユーザへの案内として、例えば「使用しないボタンにカーソルを合わせて決定ボタンを押してください。」等の文言が表示される。また、予め操作ボタン６の設定について「大人モード」「子供モード」といった複数種類の設定パターンを用意しておき、これらのうちのいずれかをユーザが選択するようにしてもよい。また、戻る２５を選択すると、図３（ｂ）に示した初期設定メニュー画面へ戻る。このような構成により設定情報を編集するための編集手段が構成されている。なお、図１〜３を用いて説明したこれらの構成は本実施の形態を説明するための構成であり、ＡＶ機器の構成を何等限定するものではない。
【００２３】
以上説明した実施の形態によれば、操作ボタン６毎に操作の許可／不許可を設定可能とすることにより、押されたくない操作ボタン６をユーザが不意に押してもその操作の実行を不許可にできるので、誤操作を防止できる。すなわち、必要な機能を保ちつつ、ユーザが操作する操作キーを少なくすることができるので、操作ミスを減少させ、操作性を向上させることができる。
【００２４】
また、ＴＶ３などのＡＶ機器側にて受信した制御信号による複数種類の個々の操作のそれぞれについて、それの実行を許可するか不許可とするかを設定できるので、リモコン９の操作ボタンを何等変更することなく間接的に受信側で操作制限することができる。
【００２５】
また、操作ボタン６の操作の許可／不許可の設定パターンを複数設定し、ユーザごとに好みの設定パターンでもって機器の遠隔操作を受け付けることができる。
【００２６】
また、リモコン９に操作の種類に応じた数の操作キーを多数設ける必要もなく、選択された操作モードに使用する以外の不要な操作キーをユーザの選択に備えて配置しておかなくともよい。
【００２７】
また、操作ボタン６が多数配置されて相互の間隔が狭いリモコンが使用される場合において、主要な操作ボタン６に対応するそれぞれの操作のみを許可しておくことができ、誤って隣接する他の操作ボタン６を押したことによる誤りの制御信号で誤操作が生じるのを防止できる。
【００２８】
また、ユーザ本人以外の他人にＴＶ１０等の機器の設定を変更されたくない場合に有効な操作制限策とすることができる。
【００２９】
なお、本遠隔操作装置の技術的要旨を逸脱しない範囲において、本発明のＡＶ機器の実施の形態に対して種々の変形や変更を施すことができる。
【００３０】
例えば、上記実施の形態では、マイコン１が読み込む設定はメモリ２に記憶されたものであったが、例えばマイコン１にネットワーク接続手段を接続し、インターネットやＬＡＮなどのネットワークを介してサーバに接続する構成としてもよい。この場合はサーバに設定情報を記憶させておき、必要に応じてマイコン１からアクセスして読み込むことができる。このようにサーバに設定を記憶しておくことで、例えば自宅のＴＶ１０に限らず、他所の他のＴＶにおいてもネットワークに接続されていれば、ユーザは所望の設定を読み込むことができるので、ＴＶ毎にそのつど設定を行う必要がない。
【００３１】
また、サーバに記憶する設定をユーザ以外のデータ提供者が任意に変更可能とすることで、マイコン１が初期設定で読み込む設定内容を変更させることができる。この場合、ユーザは設定を変更できないようにしておけば、データ提供者の意図に応じた制限の範囲においての操作のみを可能とする管理が行える。
【００３２】
なお、上記実施の形態に係るＡＶ機器の動作は、ＡＶ機器に格納されたプログラムを実行することにより実現される。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【図面の簡単な説明】
【００３３】
【図１】本発明の実施の形態によるＡＶ機器の構成を説明するための説明図を示している。
【図２】本発明の実施の形態によるＡＶ機器の動作を説明するためのフロー図を示す。
【図３】本発明の実施の形態によるＡＶ機器の設定に係る画面表示の一例を示す。
【符号の説明】
【００３４】
１、５  マイコン
２  メモリ
３  画面
４  受光素子
６  操作ボタン
７  発光ダイオード
８  制御信号
９  リモコン
１０  ＴＶ
【図１】
2008219545.tif 000003
【図２】
2008219545.tif 000004
【図３】
2008219545.tif 000005